(57)【要約】【課題】繊維製品の水中での潤滑性を向上することができる繊維製品用洗浄剤組成物を提供する。【解決手段】下記（ａ）成分、下記（ｂ）成分及び下記（ｃ）成分を含有し、（ｂ）成分が（ａ）成分に担持されており、（ｂ）成分の担持量が（ａ）成分１００質量部に対して０．０１質量部以上５質量部以下である、繊維製品用洗浄剤組成物。（ａ）成分：所定の体積膨潤率が２００％以上である膨潤性無機化合物（ｂ）成分：分子量が４０以上４００以下であり、所定の体積膨潤率の向上率が１１０％以上である化合物（ｃ）成分：界面活性剤【選択図】なし【特許請求の範囲】
【請求項１】
下記（ａ）成分、下記（ｂ）成分及び下記（ｃ）成分を含有し、
（ｂ）成分が（ａ）成分に担持されており、
（ｂ）成分の担持量が（ａ）成分１００質量部に対して０．０１質量部以上５質量部以下である、
繊維製品用洗浄剤組成物。
（ａ）成分：下記式（１）で求められる体積膨潤率が２００％以上である膨潤性無機化合物
式（１）    体積膨潤率（％）＝（Ｌ１／Ｌ２）×１００
Ｌ１：ラウリルベンゼンスルホン酸ナトリウムを１０００ｍｇ／ｋｇ含む水溶液（２５℃）５０ｍＬに、（ａ）成分を０．５ｇ添加後、２４時間後の（ａ）成分の体積
Ｌ２：（ａ）成分０．５ｇの空気中での見掛けの体積
（ｂ）成分：下記式（２）で求められる体積膨潤率の向上率が１１０％以上である化合物
式（２）    体積膨潤率の向上率（％）＝（Ｌ３／Ｌ４）×１００
Ｌ３：ラウリルベンゼンスルホン酸ナトリウムを１０００ｍｇ／ｋｇ及び（ａ）成分に担持された（ｂ）成分と同じ化合物を４０ｍｇ／ｋｇ含む水溶液（２５℃）５０ｍＬに、（ｂ）成分が担持された（ａ）成分と同じ膨潤性無機化合物を０．５ｇ添加後、２４時間後の前記膨潤性無機化合物の体積
Ｌ４：ラウリルベンゼンスルホン酸ナトリウムを１０００ｍｇ／ｋｇ含む水溶液（２５℃）５０ｍＬに、Ｌ３の測定に用いたものと同じ膨潤性無機化合物を０．５ｇ添加後、２４時間後の前記膨潤性無機化合物の体積
（ｃ）成分：界面活性剤
【請求項２】
更に（ｄ）成分として、炭素数１以上８以下の有機硫酸塩、無機硫酸塩、炭酸塩、炭酸水素塩、ケイ酸塩、リン酸塩及びハロゲン塩から選ばれる１種以上の化合物（但し、（ａ）成分、（ａ）成分に担持された（ｂ）成分及び（ｃ）成分を除く）を含有する、請求項１に記載の繊維製品用洗浄剤組成物。
【請求項３】
（ａ）成分が、膨潤性の層状無機化合物である、請求項１又は２に記載の繊維製品用洗浄剤組成物。
【請求項４】
（ｂ）成分が、下記（ｂ１）成分〜（ｂ３）成分から選ばれる１種以上の化合物である、請求項１〜３の何れかに記載の繊維製品用洗浄剤組成物。
（ｂ１）成分：炭素数２以上３以下のオキシアルキレン基、水酸基及び炭素数８以上１６以下の炭化水素基を有するノニオン界面活性剤
（ｂ２）成分：炭素数２以上８以下の１価アルコール及び炭素数２以上１０以下の２価以上６価以下の多価アルコールから選ばれる１種以上の化合物
（ｂ３）成分：炭素数４以上１２以下の脂肪酸又はその塩
【請求項５】
（ｂ）成分の平均分子量が４０以上４００以下である、請求項１〜４の何れかに記載の繊維製品用洗浄剤組成物。
【請求項６】
下記（ａ）成分及び下記（ｂ）成分を含有し、
（ｂ）成分が（ａ）成分に担持されており、
（ｂ）成分の担持量が（ａ）成分１００質量部に対して０．０１質量部以上５質量部以下である、
繊維製品用湿潤潤滑剤。
（ａ）成分：下記式（１）で求められる体積膨潤率が２００％以上である膨潤性無機化合物
式（１）    体積膨潤率（％）＝（Ｌ１／Ｌ２）×１００
Ｌ１：ラウリルベンゼンスルホン酸ナトリウムを１０００ｍｇ／ｋｇ含む水溶液（２５℃）５０ｍＬに、（ａ）成分を０．５ｇ添加後、２４時間後の（ａ）成分の体積
Ｌ２：（ａ）成分０．５ｇの空気中での見掛けの体積
（ｂ）成分：下記式（２）で求められる体積膨潤率の向上率が１１０％以上である化合物
式（２）    体積膨潤率の向上率（％）＝（Ｌ３／Ｌ４）×１００
Ｌ３：ラウリルベンゼンスルホン酸ナトリウムを１０００ｍｇ／ｋｇ及び（ａ）成分に担持された（ｂ）成分と同じ化合物を４０ｍｇ／ｋｇ含む水溶液（２５℃）５０ｍＬに、（ｂ）成分が担持された（ａ）成分と同じ膨潤性無機化合物を０．５ｇ添加後、２４時間後の前記膨潤性無機化合物の体積
Ｌ４：ラウリルベンゼンスルホン酸ナトリウムを１０００ｍｇ／ｋｇ含む水溶液（２５℃）５０ｍＬに、Ｌ３の測定に用いたものと同じ膨潤性無機化合物を０．５ｇ添加後、２４時間後の前記膨潤性無機化合物の体積
【請求項７】
（ａ）成分が、膨潤性の層状無機化合物である、請求項６に記載の繊維製品用湿潤潤滑剤。
【請求項８】
（ｂ）成分が、下記（ｂ１）成分〜（ｂ３）成分から選ばれる１種以上の化合物である、請求項６又は７に記載の繊維製品用湿潤潤滑剤。
（ｂ１）成分：炭素数２以上３以下のオキシアルキレン基、水酸基及び炭素数８以上１６以下の炭化水素基を有するノニオン界面活性剤
（ｂ２）成分：炭素数２以上８以下の１価アルコール及び炭素数２以上１０以下の２価以上６価以下の多価アルコールから選ばれる１種以上の化合物
（ｂ３）成分：炭素数４以上１２以下の脂肪酸又はその塩
【請求項９】
（ｂ）成分の平均分子量が４０以上４００以下である、請求項６〜８のいずれかに記載の繊維製品用湿潤潤滑剤。
【請求項１０】
請求項１〜５の何れかに記載の繊維製品用洗浄剤組成物と水とを混合してなる洗浄液で繊維製品を洗浄する、繊維製品の洗浄方法。
【請求項１１】
洗浄液を含んだ繊維製品を手洗いする、請求項１０に記載の繊維製品の洗浄方法。
【発明の詳細な説明】
【技術分野】
【０００１】
本発明は、繊維製品用洗浄剤組成物及び繊維製品用湿潤潤滑剤に関する。
【背景技術】
【０００２】
繊維製品を手洗いする洗濯においては、一般的に繊維製品用洗浄剤組成物が用いられる。特にアジア地域においては、洗浄力、経済性の観点、文化的背景、洗濯意識などから、粉末洗剤を用いた手洗い洗濯が依然として広く行われている。手洗い洗濯は、洗濯従事者自らの力で汚れの落ち具合を確認しながら洗浄できるため、繊維に付着した全体的な汚れだけでなく部分的な食べこぼし等の汚れを落とす洗浄にも適している。
【０００３】
しかし、手洗い洗濯は長時間にわたり自らの手で衣類等の繊維製品同士や、洗濯板やブラシ等の洗浄用具と繊維製品を擦るため、非常に労力が必要となる家事である。仕分け・つけおき・手洗い・すすぎ・脱水・干しという洗濯工程をすべて終えるには、個人差はあるが、２時間かそれ以上の時間を費やす必要がある。前記洗濯工程の中でも、手洗い洗浄は最も時間と労力のかかる工程の一つである。
【０００４】
特許文献１には、特定のアニオン界面活性剤、膨潤性無機化合物、無機ナトリウム塩及び無機リチウム塩から選ばれる無機塩、ベントナイトの体積膨潤率を高める化合物を含有し、繊維製品の洗浄中のせん断剛性率を低下することで、汚れの洗浄性を高めることができる繊維製品用洗浄剤組成物が記載されている。
【０００５】
特許文献２には、粘土鉱物を含有する手洗い洗濯用すべり性改善剤及び前記手洗い洗濯用すべり性改善剤と界面活性剤を含有する手洗い洗濯用洗剤組成物が開示されている。当該明細書には、粘土鉱物が、被洗濯物どうしを擦り合わせるときのスベリ性を改善することで、洗浄性を阻害させることなく手洗いをし易くすることが記載されている。
【０００６】
特許文献３には、アルキレンオキシドの平均付加モル数が４〜８であるポリオキシアルキレンアルキルエーテルを含有する非イオン界面活性剤と陰イオン界面活性剤を特定比で含有し、並びに粘土鉱物を含有する洗剤組成物が開示されている。当該明細書には、粘土鉱物と特定の非イオン界面活性剤を含有することで、汚れの再付着防止性が改善する技術が開示されている。
【先行技術文献】
【特許文献】
【０００７】
【特許文献１】特開２０１８−１０４６９８号公報
【特許文献２】特開２００４−３５９９４９号公報
【特許文献３】特開２００８−１８９７１９号公報
【発明の概要】
【発明が解決しようとする課題】
【０００８】
本発明は、繊維製品の水中での繊維製品表面の潤滑性を向上することができる繊維製品用洗浄剤組成物を提供する。また、本発明は、繊維製品の水中での潤滑性を向上できる繊維製品用湿潤潤滑剤を提供する。
【課題を解決するための手段】
【０００９】
本発明者らは、水中での繊維製品表面の摩擦を低減し、水中での繊維製品同士又は繊維製品と他の接触面との間の表面での潤滑性が向上することで、手洗いにかかる労力が低減できると考え、鋭意研究を行った。その結果、特定の体積膨潤率を有する膨潤性無機化合物に、特定の体積膨潤率の向上率を有する化合物を担持させて用いることで、単にこれらの２つの成分を併用する場合よりも少ない量で、繊維製品の水中での潤滑性を向上できることを見出した。
【００１０】
本発明は、下記（ａ）成分、下記（ｂ）成分及び下記（ｃ）成分を含有し、
（ｂ）成分が（ａ）成分に担持されており、
（ｂ）成分の担持量が（ａ）成分１００質量部に対して０．０１質量部以上５質量部以下である、
繊維製品用洗浄剤組成物。
（ａ）成分：下記式（１）で求められる体積膨潤率が２００％以上である膨潤性無機化合物
式（１）    体積膨潤率（％）＝（Ｌ１／Ｌ２）×１００
Ｌ１：ラウリルベンゼンスルホン酸ナトリウムを１０００ｍｇ／ｋｇ含む水溶液（２５℃）５０ｍＬに、（ａ）成分を０．５ｇ添加後、２４時間後の（ａ）成分の体積
Ｌ２：（ａ）成分０．５ｇの空気中での見掛けの体積
（ｂ）成分：下記式（２）で求められる体積膨潤率の向上率が１１０％以上である化合物
式（２）    体積膨潤率の向上率（％）＝（Ｌ３／Ｌ４）×１００
Ｌ３：ラウリルベンゼンスルホン酸ナトリウムを１０００ｍｇ／ｋｇ及び（ａ）成分に担持された（ｂ）成分と同じ化合物を４０ｍｇ／ｋｇ含む水溶液（２５℃）５０ｍＬに、（ｂ）成分が担持された（ａ）成分と同じ膨潤性無機化合物を０．５ｇ添加後、２４時間後の前記膨潤性無機化合物の体積
Ｌ４：ラウリルベンゼンスルホン酸ナトリウムを１０００ｍｇ／ｋｇ含む水溶液（２５℃）５０ｍＬに、Ｌ３の測定に用いたものと同じ膨潤性無機化合物を０．５ｇ添加後、２４時間後の前記膨潤性無機化合物の体積
（ｃ）成分：界面活性剤
【００１１】
また、本発明は、前記（ａ）成分及び前記（ｂ）成分を含有し、
（ｂ）成分が（ａ）成分に担持されており、
（ｂ）成分の担持量が（ａ）成分１００質量部に対して０．０１質量部以上５質量部以下である、
繊維製品用湿潤潤滑剤に関する。
【００１２】
また、本発明は、前記本発明の繊維製品用洗浄剤組成物と水とを混合してなる洗浄液で繊維製品を洗浄する、繊維製品の洗浄方法に関する。
【発明の効果】
【００１３】
本発明によれば、水中での繊維製品同士又は繊維製品と他の接触面との間の表面の潤滑性を向上できる繊維製品用洗浄剤組成物及び繊維製品用湿潤潤滑剤が提供される。
【発明を実施するための形態】
【００１４】
＜繊維製品用洗浄剤組成物＞
＜（ａ）成分＞
（ａ）成分は、下記式（１）で求められる体積膨潤率が２００％以上である膨潤性無機化合物である。糸と糸の間で（ａ）成分が膨潤することで、水中での繊維製品同士又は繊維製品と他の接触面との間の潤滑性が向上する効果を有する。
式（１）    体積膨潤率（％）＝（Ｌ１／Ｌ２）×１００
Ｌ１：ラウリルベンゼンスルホン酸ナトリウムを１０００ｍｇ／ｋｇ含む水溶液（２５℃）５０ｍＬに、（ａ）成分を０．５ｇ添加後、２４時間後の（ａ）成分の体積
Ｌ２：（ａ）成分０．５ｇの空気中での見掛けの体積
【００１５】
体積膨潤率は、具体的には、日本ベントナイト工業会標準試験方法「ベントナイト（粉状）の膨潤試験方法」（ＪＢＡＳ−１０４−７７）に準じ、実施例に記載の測定方法で算出できる。体積膨潤率を試験する方法は当業者が容易に認知でき且つ測定することができる。
【００１６】
（ａ）成分の膨潤性無機化合物の体積膨潤率は、とりわけ、水中での繊維製品同士又は繊維製品と他の接触面との間の潤滑性が向上する観点で、２００％以上であり、好ましくは２５０％以上であり、更に好ましくは３００％以上であり、より好ましくは３５０％以上であり、より更に好ましくは４００％以上であり、より更に好ましくは４５０％以上であり、より更に好ましくは５００％以上であり、より更に好ましくは９００％以上であり、より更に好ましくは９５０％以上であり、そして、好ましくは１５００％以下である。
【００１７】
（ａ）成分の膨潤性無機化合物としては、膨潤性の層状無機化合物が挙げられる。膨潤性の層状無機化合物としては、例えば膨潤性の粘土鉱物が挙げられる。粘土鉱物としては特に限定されないが、カチオン交換性層状シリケートであり、水膨潤性が著しく、（ｂ）成分、例えば、カチオン性又は有極性の無機又は有機物質を、結晶構造層間に抱持（インターカレート）して層間複合体を形成するものが好ましい。このような粘土鉱物の一例として膨潤性のスメクタイト及び膨潤性のベントナイトから選ばれる１種以上の膨潤性の粘土鉱物が挙げられる。膨潤性のスメクタイトは、粘土鉱物に属する一群のカチオン交換性層状シリケートであり、天然物としてはベントナイトの主成分として良く知られているモンモリロナイトの他、バイデライト、ヘクトライト、サポナイト、ノントロナイトなどが挙げられ、合成物として膨潤性弗素系雲母類などが挙げられる。これらの中では、ベントナイト、サポナイト、ヘクトライト及びモンモリロナイトが好ましく、モンモリロナイトがより好ましい。層状無機化合物や粘土鉱物についての膨潤性とは、前記の体積膨潤率を満たすことである。
【００１８】
本発明の繊維製品用洗浄剤組成物は、水中での繊維製品同士又は繊維製品と他の接触体との間の潤滑性を向上できる観点で、該組成物中に（ａ）成分を、好ましくは３質量％以上、より好ましくは４質量％以上、更に好ましくは５質量％以上、より更に好ましくは６質量％以上、より更に好ましくは７質量％以上、より更に好ましくは８質量％以上、より更に好ましくは９質量％以上、より更に好ましくは１０質量％以上、そして、好ましくは３０質量％以下、より好ましくは２５質量％以下、更に好ましくは２０質量％以下含有する。
【００１９】
＜（ｂ）成分＞
（ｂ）成分は、下記式（２）で求められる体積膨潤率の向上率が１１０％以上である化合物である。
式（２）    体積膨潤率の向上率（％）＝（Ｌ３／Ｌ４）×１００
Ｌ３：ラウリルベンゼンスルホン酸ナトリウムを１０００ｍｇ／ｋｇ及び（ａ）成分に担持された（ｂ）成分と同じ化合物を４０ｍｇ／ｋｇ含む水溶液（２５℃）５０ｍＬに、（ｂ）成分が担持された（ａ）成分と同じ膨潤性無機化合物を０．５ｇ添加後、２４時間後の前記膨潤性無機化合物の体積
Ｌ４：ラウリルベンゼンスルホン酸ナトリウムを１０００ｍｇ／ｋｇ含む水溶液（２５℃）５０ｍＬに、Ｌ３の測定に用いたものと同じ膨潤性無機化合物を０．５ｇ添加後、２４時間後の前記膨潤性無機化合物の体積
【００２０】
（ｂ）成分は、（ａ）成分の膨潤性無機化合物の体積膨潤率を向上させる化合物である。（ｂ）成分の化合物は、膨潤性無機化合物の体積膨潤率を更に高めることで、水中での繊維製品同士又は繊維製品と他の接触体との潤滑性を向上させる作用を有する。体積膨潤率の向上率のより具体的な算出方法は実施例に記載した。
【００２１】
（ｂ）成分の体積膨潤率の向上率は、糸と糸をより動きやすくし、繊維製品同士又は繊維製品と他の接触体との潤滑性が向上することで、繊維製品に付着した汚れの洗浄性を高める点で、１１０％以上であり、好ましくは１１５％以上であり、より好ましくは１２０％以上であり、更に好ましくは１２６％以上であり、より更に好ましくは１３０％以上であり、より更に好ましくは１３５％以上であり、そして、好ましくは２００％以下であり、より好ましくは１９０％以下であり、更に好ましくは１８０％以下であり、より更に好ましくは１７０％以下であり、より更に好ましくは１６０％以下である。
【００２２】
（ｂ）成分の化合物は、特に限定されないが、（ａ）成分、例えば層状粘土鉱物のインターカレート剤が挙げられる。該インターカレート剤は、（ａ）成分、例えば層状粘土化合物にインターカレートする有機化合物を挙げることができる。
【００２３】
（ｂ）成分は、前記の体積膨潤率の向上率（％）が１１０％以上である化合物ならば、特に制限はない。（ａ）成分の体積膨潤率をより向上することで、水中での繊維製品同士又は繊維製品と他の接触体との間の摩擦を低減し、潤滑性をより向上できる観点から、（ｂ）成分の分子量は４０以上４００以下が好ましい。
【００２４】
（ｂ）成分としては、例えば下記（ｂ１）成分〜（ｂ３）成分から選ばれる１種以上の化合物が挙げられる。（ｂ）成分は、水中での繊維製品同士又は繊維製品と他の接触体との潤滑性がより向上する観点から、（ｂ１）成分から選ばれる１種以上の化合物が好ましい。
（ｂ１）成分：炭素数２以上３以下のオキシアルキレン基、水酸基及び炭素数８以上１６以下の炭化水素基を有するノニオン界面活性剤
（ｂ２）成分：炭素数２以上８以下の１価アルコール及び炭素数２以上１０以下の２価以上６価以下の多価アルコールから選ばれる１種以上の化合物
（ｂ３）成分：炭素数４以上１２以下の脂肪酸又はその塩
【００２５】
〔（ｂ１）成分〕
（ｂ１）成分は、炭素数２以上３以下のオキシアルキレン基、水酸基及び炭素数８以上１６以下の炭化水素基を有するノニオン界面活性剤である。（ｂ１）成分は、前記の体積膨潤率の向上率が１１０％以上である化合物である。
【００２６】
（ｂ１）成分による（ａ）成分の体積膨潤率の向上率の具体的な測定方法は、本発明の実施例に記載の方法で容易に求めることが出来る。
【００２７】
前記炭化水素基は、アルキル基、アルケニル基が挙げられ、アルキル基が好ましい。前記炭化水素基の炭素数は、好ましくは１２以上、そして、１４以下である。
【００２８】
炭素数２以上３以下のオキシアルキレン基としては、オキシエチレン基及びオキシプロピレン基から選ばれる１種以上の基が挙げられる。（ｂ１）成分は、好ましくは前記オキシアルキレン基を（ｂ１）成分全体の分子量が４００以下となる数として、有する。オキシアルキレン基の数は、平均付加モル数として記述できる。（ｂ１）成分の前記オキシアルキレン基の平均付加モル数は、好ましくは１以上、より好ましくは１．５以上、そして、好ましくは５以下、より好ましくは４以下、更に好ましくは３以下である。（ｂ１）成分は、好ましくは、炭素数２以上３以下のオキシアルキレン基、水酸基及び炭素数８以上１４以下の炭化水素基を有し、前記オキシアルキレン基の平均付加モル数が１以上５以下であり、体積膨潤率の向上率が１１０％以上であるノニオン界面活性剤である。
【００２９】
〔（ｂ２）成分〕
（ｂ２）成分は、炭素数２以上８以下の１価アルコール及び炭素数２以上１０以下の２価以上６価以下の多価アルコールから選ばれる１種以上の化合物である。（ｂ２）成分は、前記の体積膨潤率の向上率が１１０％以上である化合物である。（ｂ２）成分としては、炭素数２以上１０以下の２価以上６価以下の多価アルコールから選ばれる１種以上の化合物が好ましい。（ｂ２）成分中、炭素数２以上１０以下の２価以上６価以下の多価アルコールから選ばれる１種以上の化合物の割合は、好ましくは５０質量％以上、より好ましくは７０質量％以上、更に好ましくは９０質量％以上であり、１００質量％であってもよい。
【００３０】
（ａ）成分の体積膨潤率をより向上できる点で、炭素数２以上８以下の１価アルコールの炭素数は、好ましくは３以上であり、より好ましくは４以上であり、そして、好ましくは７以下である。
【００３１】
炭素数２以上８以下の１価アルコールとしては、エタノール、１−プロパノール、２−プロパノール、ブタノール、ペンタノール、ヘキサノール、シクロヘキサノール、ヘプタノール、ヘキサノール、オクタノール及び２−エチルヘキサノールから選ばれる１種以上のアルコールが挙げられる。
【００３２】
炭素数２以上１０以下の２価以上６価以下の多価アルコールとしては、エチレングリコール、プロピレングリコール、グリセリン、ペンタエリスリトール及びソルビトールから選ばれる１種以上の化合物が挙げられる。
【００３３】
〔（ｂ３）成分〕
（ｂ３）成分は、炭素数４以上１２以下の脂肪酸又はその塩である。（ｂ３）成分は、前記の体積膨潤率の向上率が１１０％以上である化合物である。
（ａ）成分による水中での潤滑性が向上する効果をより高める点で、脂肪酸の炭素数は４以上であり、好ましくは６以上、そして、１２以下であり、好ましくは１０以下である。塩としてはアルカリ金属塩、アルカリ土類金属塩及び炭素数１以上６以下のアルカノールアミン塩が挙げられる。
アルカリ金属塩はナトリウム塩が挙げられる。アルカリ土類金属塩としては、マグネシウム塩が挙げられる。炭素数１以上６以下のアルカノールアミン塩としては、モノエタノールアミン塩、ジエタノールアミン塩、トリエタノールアミン塩、Ｎ−メチルモノエタノールアミン塩、Ｎ−メチルジエタノールアミン塩、トリエタノールアミン塩が挙げられる。
（ｂ３）成分の質量は酸型に換算した値を用いるものとする。
【００３４】
本発明の繊維製品用洗浄剤組成物は、（ａ）成分による水中の繊維製品同士又は繊維製品と他の接触面との潤滑性をより向上できる観点で、〔（ｂ）成分の含有量〕／〔（ｃ）成分の含有量〕の質量比が、好ましくは０を超え１以下である。（ａ）成分による水中の繊維製品同士又は繊維製品と他の接触面との潤滑性をより向上できる観点で、〔（ｂ）成分の含有量〕／〔（ｃ）成分の含有量〕の質量比は、より好ましくは０．０００１以上であり、更に好ましくは０．０００１５以上であり、より更に好ましくは０．０００２以上であり、より更に好ましくは０．０００３以上であり、より更に好ましくは０．０００４以上であり、より更に好ましくは０．０００６以上であり、そして、より好ましくは０．００９以下であり、更に好ましくは０．００８以下であり、より更に好ましくは０．００７以下であり、より更に好ましくは０．００６以下であり、より更に好ましくは０．００５以下であり、より更に好ましくは０．００４以下であり、より更に好ましくは０．００３以下であり、より更に好ましくは０．００２以下である。
【００３５】
洗浄浴中での繊維製品同士又は繊維製品と他の接触面との潤滑性をより向上できる観点から、（ｂ）成分は、（ａ）成分１００質量部に対して０．０１質量部以上５質量部以下の量で、（ａ）成分に担持されている。洗浄浴中での繊維製品同士又は繊維製品と他の接触面との潤滑性をより向上できる観点から、（ａ）成分１００質量部に対する（ｂ）成分の担持量は、好ましくは０．０３質量部以上であり、より好ましくは０．０５質量部以上であり、更に好ましくは０．０７質量部以上であり、より更に好ましくは０．１質量部以上であり、より更に好ましくは０．１５質量部以上であり、そして、５質量部以下であり、好ましくは４質量部以下であり、より好ましくは３質量部以下であり、更に好ましくは２質量部以下であり、より更に好ましくは１質量部以下であり、より更に好ましくは０．６質量部以下であり、より更に好ましくは０．５質量部以下であり、より更に好ましくは０．４質量部以下である。
【００３６】
ここで、（ｂ）成分が（ａ）成分に担持されているとは、例えば、（ｂ）成分が（ａ）成分の表面に付着している状態、（ｂ）成分が（ａ）成分の表面から内部に浸透している状態、これらが混在した状態が挙げられる。（ｂ）成分が担持された（ａ）成分は、例えば、固体状の（ａ）成分に液体状の（ｂ）成分を接触させることで得ることができる。例えば、固体状の（ａ）成分に液体状の（ｂ）成分を噴霧することで得ることができる。また、固体状の（ａ）成分と液体状の（ｂ）成分を混合して得ることができる。
【００３７】
（ｂ）成分を前記割合で担持する（ａ）成分は、繊維製品用湿潤潤滑剤として使用できる。すなわち、本発明により、（ａ）成分及び（ｂ）成分を含有し、（ｂ）成分が（ａ）成分に担持されており、（ｂ）成分の担持量が（ａ）成分１００質量部に対して０．０１質量部以上５質量部以下である、繊維製品用湿潤潤滑剤が提供される。この潤滑剤は、湿潤した状態にある繊維製品、例えば水で濡れた繊維製品に対して、潤滑剤として機能するものである。
【００３８】
本発明の繊維製品用洗浄剤組成物では、該組成物が含有する（ｂ）成分の全量中、６０質量％以上、更に７０質量％以上、更に８０質量％以上、更に１００質量％が、（ａ）成分に担持されていることが好ましい。
【００３９】
本発明の繊維製品用洗浄剤組成物では、（ａ）成分に担持されている物質中、６０質量％以上、更に８０質量％以上、更に９０質量％以上、更に１００質量％が、（ｂ）成分であることが好ましい。
【００４０】
＜（ｃ）成分＞
本発明の（ｃ）成分は、界面活性剤である。但し、（ｃ）成分からは、（ａ）成分に担持された（ｂ）成分は除かれる。本発明において、（ｃ）成分は、繊維製品に付着した汚れの洗浄性の観点から使用される。また、（ｃ）成分は、（ｂ）成分が担持した（ａ）成分が水中での膨潤をより高めることで、水中での繊維製品の潤滑性がより向上する効果を有する。
【００４１】
（ｃ）成分としては、アニオン界面活性剤、ノニオン界面活性剤及びカチオン界面活性剤、両性界面活性剤から選ばれる１種以上の界面活性剤が挙げられる。（ｃ）成分としては、好ましくはアニオン界面活性剤及びノニオン界面活性剤から選ばれる１種以上の界面活性剤である。（ｃ）成分としては、より好ましくはアニオン界面活性剤から選ばれる１種以上の界面活性剤である。
【００４２】
アニオン界面活性剤は、（ｂ）成分が担持した（ａ）成分が水中での膨潤をより高めることで、水中での繊維製品の摩擦をより低減し、繊維製品同士又は繊維製品と他の接触体との間の潤滑性をより向上できる点で好ましい界面活性剤である。上記の点でより好ましいアニオン界面活性剤は、スルホン酸塩及び硫酸エステル塩から選ばれる親水基を有するアニオン界面活性剤である。
【００４３】
（ｃ）成分のアニオン界面活性剤の具体例としては、下記（ｃ１）成分、（ｃ２）成分、及び（ｃ３）成分から選ばれる１種以上のアニオン界面活性剤が挙げられる。
（ｃ１）成分：アルキル又はアルケニル硫酸エステル塩
（ｃ２）成分：炭素数２以上３以下のオキシアルキレン基を有するポリオキシアルキレンアルキル又はアルケニルエーテル硫酸エステル塩
（ｃ３）成分：アルキルベンゼンスルホン酸塩、アルケニルベンゼンスルホン酸塩、アルカンスルホン酸塩、α−オレフィンスルホン酸塩、α−スルホ脂肪酸塩又はα−スルホ脂肪酸低級アルキルエステル塩
【００４４】
（ｃ１）成分である、アルキル又はアルケニル硫酸エステル塩として、より具体的には、アルキル基の炭素数が１０以上１８以下のアルキル硫酸エステル塩、及びアルケニル基の炭素数が１０以上１８以下のアルケニル硫酸エステル塩から選ばれる１種以上のアニオン界面活性剤が挙げられる。繊維製品同士又は繊維製品と他の接触体との潤滑性をより向上できる観点から、（ｃ１）成分は、アルキル硫酸エステル塩、より具体的には、アルキル基の炭素数が１０以上１８以下のアルキル硫酸エステル塩から選ばれる１種以上のアニオン界面活性剤が好ましい。
【００４５】
（ｃ２）成分である、炭素数２以上３以下のオキシアルキレン基を有するポリオキシアルキレンアルキル又はアルケニルエーテル硫酸エステル塩として、より具体的には、アルキル基の炭素数が１０以上１８以下、及びオキシアルキレン基の平均付加モル数が１以上３以下のポリオキシアルキレンアルキルエーテル硫酸エステル塩、及びアルケニル基の炭素数が１０以上１８以下、及びアルキレンオキシド平均付加モル数が１以上３以下のポリオキシアルキレンアルケニルエーテル硫酸エステル塩から選ばれる１種以上のアニオン界面活性剤が挙げられる。オキシアルキレン基としては炭素数２以上３以下のオキシアルキレン基が挙げられる。炭素数２以上３以下のオキシアルキレン基としては、オキシプロピレン基及びオキシエチレン基から選ばれる１種以上の基が挙げられる。繊維製品同士又は繊維製品と他の接触体との潤滑性をより向上できる観点から、（ｃ２）成分は炭素数２以上３以下のオキシアルキレン基を有するポリオキシアルキレンアルキルエーテル硫酸エステル塩が好ましく、アルキル基の炭素数が１０以上１８以下であり、炭素数２以上３以下のオキシアルキレン基の平均付加モル数が１以上３以下のポリオキシアルキレンアルキルエーテル硫酸エステル塩がより好ましい。
【００４６】
（ｃ３）成分である、アルキルベンゼンスルホン酸塩、アルケニルベンゼンスルホン酸塩、アルカンスルホン酸塩、α−オレフィンスルホン酸塩、α−スルホ脂肪酸塩又はα−スルホ脂肪酸低級アルキルエステル塩として、より具体的には、アルキル基の炭素数が１０以上１８以下のアルキルベンゼンスルホン酸塩、アルケニル基の炭素数が１０以上１８以下のアルケニルベンゼンスルホン酸塩、アルキル基の炭素数が１０以上１８以下のアルカンスルホン酸塩、α−オレフィン部分の炭素数が１０以上１８以下のα−オレフィンスルホン酸塩、脂肪酸部分の炭素数が１０以上１８以下のα−スルホ脂肪酸塩、及び脂肪酸部分の炭素数が１０以上１８以下であり、エステル部分の炭素数が１以上５以下であるα−スルホ脂肪酸低級アルキルエステル塩から選ばれる１種以上のアニオン界面活性剤が挙げられる。繊維製品同士又は繊維製品と他の接触体との潤滑性をより向上できる観点から、（ｃ３）成分は、アルキル基の炭素数が１０以上１８以下のアルキルベンゼンスルホン酸塩、α−オレフィン部分の炭素数が１０以上１８以下のα−オレフィンスルホン酸塩、エステル部分の炭素数が１以上５以下であるα−スルホ脂肪酸低級アルキルエステル塩から選ばれる１種以上のアニオン界面活性剤から選ばれる１種以上のアニオン界面活性剤が好ましく、アルキル基の炭素数が１１以上１６以下のアルキルベンゼンスルホン酸塩が好ましく、アルキル基の炭素数が１１以上１６以下のアルキルベンゼンスルホン酸ナトリウムがより好ましい。
【００４７】
（ｃ）成分であるアニオン界面活性剤の塩としては、アルカリ金属及び炭素数２以上６以下のアルカノールアミンから選ばれる１種以上の化合物の塩が挙げられる。アルカリ金属としては、ナトリウム及びカリウムから選ばれる１種以上の化合物が好ましい。炭素数２以上６以下のアルカノールアミンとしては、モノエタノールアミン、ジエタノールアミン、トリエタノールアミン、Ｎ−メチルモノエタノールアミン、Ｎ−メチルジエタノールアミン及びＮ，Ｎ−ジメチルモノエタノールアミンから選ばれる１種以上の化合物が好ましい。
【００４８】
繊維製品同士又は繊維製品と他の接触体との潤滑性をより向上しやすい点で、好ましいノニオン界面活性剤は、炭素数２以上３以下のオキシアルキレン基を有するノニオン界面活性剤である。
（ｃ）成分のノニオン界面活性剤の具体例としては、下記（ｃ４）成分が挙げられる。但し、（ｃ４）成分からは、（ａ）成分に担持された（ｂ）成分は除かれる。
（ｃ４）成分：ポリオキシアルキレンアルキルエーテル型ノニオン界面活性剤
【００４９】
（ｃ４）成分のノニオン界面活性剤としては、具体的には、下記一般式（１）の化合物が挙げられる。
Ｒ１−Ｏ［（ＥＯ）ａ／（ＰＯ）ｂ］−Ｈ                （１）
〔式中、Ｒ１は炭素数１０以上、好ましくは１２以上、そして、１８以下、好ましくは１６以下、より好ましくは１４以下のアルキル基又はアルケニル基を示す。ＥＯはエチレンオキシ基、ＰＯはプロピレンオキシ基である。ａはＥＯ基の数平均付加モル数であり、ｂはＰＯ基の数平均付加モル数である。ａとｂの合計の数は、好ましくは６以上１００以下の数である。ａは６以上１００以下の数が好ましく、ｂは０以上１０以下の数が好ましい。但し、ａ及びｂの両者が０の場合を除く。〕
一般式（１）中、ＥＯとＰＯはランダム結合でもブロック結合でも、いずれでもよい。一般式（１）のノニオン界面活性剤は、ＥＯを含むことが好ましい。
【００５０】
本発明の繊維製品用洗浄剤組成物は、（ｂ）成分が担持した（ａ）成分による、水中での繊維製品の潤滑性をより向上させる観点から、該組成物中に（ｃ）成分を、好ましくは５質量％以上、より好ましくは６質量％以上、更に好ましくは７質量％以上、より更に好ましくは８質量％以上、より更に好ましくは９質量％以上、より更に好ましくは１０質量％以上、そして、好ましくは６０質量％以下、より好ましくは５０質量％以下、更に好ましくは４０質量％以下含有する。
（ｃ）成分の質量は、アニオン界面活性剤については、（ｃ）成分の対イオンをナトリウムイオンに換算した値を用いるものとする。
【００５１】
（ｃ）成分は、アニオン界面活性剤、更に（ｃ１）成分、（ｃ２）成分及び（ｃ３）成分から選ばれる１種以上のアニオン界面活性剤を含むことが好ましい。すなわち、本発明の維製品用洗浄剤組成物は、（ｃ）成分として、アニオン界面活性剤、更に（ｃ１）成分、（ｃ２）成分及び（ｃ３）成分から選ばれる１種以上のアニオン界面活性剤を含有することが好ましい。
【００５２】
＜その他の成分等＞
本発明の繊維製品用洗浄剤組成物には、本発明の効果に影響を与えない範囲で洗浄剤の成分として公知の成分を配合することができる。具体的には、水、漂白剤（過ホウ酸塩、漂白活性化剤等）、再汚染防止剤、還元剤、蛍光増白剤、抑泡剤（シリコーン等）、香料、酵素（アルカリプロテアーゼ、プロテアーゼ、セルラーゼ、ペプチナーゼ、リパーゼ、デキストラナーゼ、アミラーゼ等）、着色剤、金属イオン封鎖剤（ゼオライト等）、カルボキシル基を含むポリマー（カルボキシル基の数は平均で２０個以上）が挙げられる。
カルボキシル基を含むポリマーとしては、ポリアクリル酸又はその塩が挙げられる。ポリアクリル酸又はその塩の重量平均分子量は１５００以上１００００以下が好ましい。カルボキシル基を含むポリマーの含有量は、組成物中、好ましくは０．１質量％以上５質量％以下である。カルボキシル基を含むポリマーの重量平均分子量は、ゲル浸透クロマトグラフィーを用い、重量平均分子量が既知のポリエチレングリコールを標品として測定することができる。
【００５３】
本発明の繊維製品用洗浄剤組成物は、更に（ｄ）成分として、炭素数１以上８以下の有機硫酸塩、無機硫酸塩、炭酸塩、炭酸水素塩、ケイ酸塩、リン酸塩及びハロゲン塩から選ばれる１種以上の化合物（但し、（ａ）成分、（ａ）成分に担持された（ｂ）成分及び（ｃ）成分を除く）を含有することが好ましい。（ｄ）成分は電解質であってよい。
【００５４】
本発明において、（ｄ）成分は、（ｂ）成分が担持した（ａ）成分の膨潤を高め、水中での繊維製品同士又は繊維製品と他の表面との間の潤滑性がより向上する作用を有するものが好ましい。
【００５５】
（ｄ）成分の炭素数１以上８以下の有機硫酸塩としては、炭素数１以上８以下のアルカノールアンモニウム硫酸塩が挙げられる。具体的には、モノエタノールアンモニウム硫酸塩、Ｎ−メチルジエタノールアンモニウム硫酸塩及びトリエタノールアンモニウム硫酸塩から選ばれる１種以上の有機硫酸塩が挙げられる。
【００５６】
（ｄ）成分の無機硫酸塩としては、アルカリ金属硫酸塩、アルカリ土類金属硫酸塩が挙げられる。具体的には、硫酸ナトリウム、硫酸水素ナトリウム、硫酸リチウム、硫酸水素リチウム、硫酸マグネシウム、硫酸水素マグネシウムが挙げられる。
【００５７】
（ｄ）成分の炭酸塩としては、アルカリ金属炭酸塩、アルカリ土類金属炭酸塩が挙げられる。具体的には、炭酸ナトリウム、炭酸リチウム、炭酸マグネシウムが挙げられる。
【００５８】
（ｄ）成分の炭酸水素塩としては、アルカリ金属炭酸水素塩、アルカリ土類金属炭酸水素塩が挙げられる。具体的には、炭酸水素ナトリウム、炭酸水素リチウム、炭酸水素マグネシウムが挙げられる。
【００５９】
（ｄ）成分のケイ酸塩としては、アルカリ金属ケイ酸塩が挙げられる。具体的には、ケイ酸ナトリウムが挙げられる。
【００６０】
（ｄ）成分のリン酸塩としては、アルカリ金属リン酸塩、アルカリ土類金属リン酸塩、が挙げられる。具体的には、リン酸３ナトリウム塩、リン酸水素二ナトリウム塩、リン酸二水素ナトリウム塩、リン酸三カリウム塩、リン酸水素二カリウム塩が挙げられる。
【００６１】
（ｄ）成分のハロゲン塩としては、アルカリ金属ハロゲン化物、アルカリ土類金属ハロゲン化物が挙げられる。具体的には、塩化ナトリウム、塩化リチウム、塩化マグネシウムが挙げられる。
【００６２】
（ｂ）成分が担持した（ａ）成分の膨潤を高め、水中での繊維製品同士又は繊維製品と他の表面との間の潤滑性がより向上する点から、（ｄ）成分は、硫酸ナトリウム、炭酸ナトリウム、炭酸水素ナトリウム、硫酸リチウム、炭酸リチウム、炭酸水素リチウム及びケイ酸ナトリウムから選ばれる１種以上の無機塩が好ましい。本発明の繊維製品用洗浄剤組成物は、（ｄ）成分として、硫酸ナトリウム、及び硫酸リチウムから選ばれる１種以上の無機塩を含有するものであってよい。
【００６３】
本発明の繊維製品用洗浄剤組成物は、（ｂ）成分が担持した（ａ）成分の膨潤を高め、水中での繊維製品同士又は繊維製品と他の表面との間の潤滑性がより向上する点で、該組成物中に（ｄ）成分を、好ましくは１質量％以上、より好ましくは５質量％以上、更に好ましくは１０質量％以上、より更に好ましくは２０質量％以上、より更に好ましくは２５質量％以上、より更に好ましくは３０質量％以上、より更に好ましくは３５質量％以上、より更に好ましくは４０質量％以上、そして、好ましくは８０質量％以下、より好ましくは７０質量％以下、更に好ましくは６５質量％以下含有する。
【００６４】
一般的に、無機炭酸塩、例えば炭酸ナトリウム、炭酸リチウム及び炭酸カリウムから選ばれる１種以上、無機炭酸水素塩、例えば、炭酸水素ナトリウム、炭酸水素リチウム及び炭酸水素カリウムから選ばれる１種以上、又は無機ケイ酸塩、例えばケイ酸ナトリウム、から選ばれる無機塩は、アルカリ剤として知られており、繊維製品に付着した汚れの洗浄性を高める無機塩として知られている。
【００６５】
本発明の繊維製品用洗浄剤組成物は、例えば、（ｄ）成分中の炭酸塩、炭酸水素塩及びケイ酸塩から選ばれる１種以上の無機塩の含有割合が５０質量％以下であっても、洗浄力を維持できる。ここで、前記炭酸塩は、炭酸ナトリウム及び炭酸リチウムであり、前記炭酸水素塩は、炭酸水素ナトリウム及び炭酸水素リチウムであり、前記ケイ酸塩は、ケイ酸ナトリウム及びケイ酸リチウムである。
【００６６】
上記の点を考慮した場合、本発明の繊維製品用洗浄剤組成物中に含まれる（ｄ）成分中の、炭酸塩、炭酸水素塩及びケイ酸塩から選ばれる１種以上の無機塩の含有割合は、好ましくは５０質量％以下であり、より好ましくは４５質量％以下であり、更に好ましくは４０質量％以下であり、より更に好ましくは３５質量％以下であり、より更に好ましくは３０質量％以下であり、より更に好ましくは２５質量％以下であり、より更に好ましくは２０質量％以下であり、より更に好ましくは１５質量％以下であり、より更に好ましくは１０質量％以下であり、そして、好ましくは０質量％以上であり、より好ましくは５質量％以上であり、更に好ましくは１０質量％以上である。
【００６７】
本発明の繊維製品用粉末洗浄剤組成物に含まれる（ａ）成分である膨潤性無機化合物は、洗浄に使用される水に含まれる硬度成分によって、膨潤の度合いが変わる場合がある。洗浄に使用される水の硬度が変化しても（ａ）成分の膨潤を維持し、繊維製品同士又は繊維製品と他の接触体との潤滑性がより向上する観点から、本発明の繊維製品用粉末洗浄剤組成物は、ゼオライト及びトリポリリン酸塩から選ばれる１種以上の金属イオン捕捉剤〔以下、（ｅ）成分という〕を含有することが好ましい。（ｅ）成分は、ゼオライトから選ばれる１種以上の金属イオン捕捉剤が好ましい。
【００６８】
ゼオライト及びトリポリリン酸塩から選ばれる１種以上の金属イオン捕捉剤は、一般的には、アニオン界面活性剤による洗浄力が洗浄に使用される水の硬度成分と結合することで、アニオン界面活性剤の洗浄性が低下することを抑制する目的で使用される。しかしながら、本発明においては、（ａ）成分である膨潤性無機化合物の体積膨潤率を維持する作用を有すると考えられる。
【００６９】
ゼオライトは結晶性アルミノ珪酸塩とも呼ばれる。具体的なゼオライトとして、Ａ型、Ｘ型、Ｐ型ゼオライト等の結晶性アルミノ珪酸塩を含有できる。その平均一次粒子径は好ましくは０．１μｍ以上、より好ましくは１μｍ以上、そして、好ましくは１０μｍ以下、より好ましくは５μｍ以下である。結晶性アルミノ珪酸塩として好適なものは、Ａ型ゼオライト（例えば、商品名「トヨビルダー」：東ソー（株）製、ＪＩＳ  Ｋ  ５１０１法による吸油能：４０ｍＬ／１００ｇ以上）が好ましい。その他に、Ｐ型（例えば、商品名「Ｄｏｕｃｉｌ  Ａ２４」、「ＺＳＥＯ６４」等；いずれもCrosfield社製；吸油能６０〜１５０ｍＬ／１００ｇ）、Ｘ型（例えば、商品名「WessalithXD」、；Degussa社製；吸油能８０〜１００ｍＬ／１００ｇ）、国際公開第９８４２６２２号記載のハイブリッドゼオライトも好適なものとして挙げられる。
【００７０】
トリポリリン酸塩中の対イオンとしては、アルカリ金属イオンが挙げられる。アルカリ金属イオンとしては、ナトリウムイオン及びカリウムイオンから選ばれるイオンがより好ましい。全対イオン中、ナトリウムイオン及びカリウムイオンの質量比は、７０質量％以上が好ましく、８５質量％以上がより好ましい。トリポリリン酸塩と組み合わせてオルトリン酸塩及びピロリン酸塩を使用することができる。トリポリリン酸塩、オルトリン酸塩の量、及びピロリン酸塩の質量比は、トリポリリン酸塩／オルトリン酸塩／ピロリン酸塩＝（８０質量部以上９７質量部以下）／（１質量部以上１０質量部以下）／（２質量部以上１０質量部以下）が好適である（量は無水物として計算、３つの質量部の合計は１００質量部）。
【００７１】
本発明の繊維製品用洗浄剤組成物は、洗浄に使用する水が硬度成分を含む水であったとしても、（ａ）成分である膨潤性無機化合物の体積膨潤率を維持し、繊維製品同士又は繊維製品と他の接触体との潤滑性がより向上する観点から、（ｅ）成分の含有量と（ａ）成分の含有量との質量比である（ｅ）／（ａ）が、好ましくは０．０５以上であり、より好ましくは０．１以上であり、更に好ましくは０．２以上であり、より更に好ましくは０．３以上であり、より更に好ましくは０．４以上であり、より更に好ましくは０．５以上であり、より更に好ましくは０．６以上であり、より更に好ましくは０．７以上であり、そして、好ましくは３０以下であり、より好ましくは２０以下であり、更に好ましくは１０以下であり、より更に好ましくは５以下であり、より更に好ましくは３以下であり、より更に好ましくは２以下であり、より更に好ましくは１．５以下である。
【００７２】
本発明の繊維製品用洗浄剤組成物中の（ｅ）成分の含有量は、洗浄に使用する水が硬度成分を含む水であったとしても、（ａ）成分である膨潤性無機化合物の体積膨潤率を維持し、繊維製品同士又は繊維製品と他の接触体との潤滑性がより向上する観点から、好ましくは１質量％以上であり、より好ましくは２質量％以上であり、更に好ましくは３質量％以上であり、より更に好ましくは４質量％以上であり、より更に好ましくは５質量％以上であり、より更に好ましくは６質量％以上であり、そして、好ましくは３０質量％以下であり、より好ましくは２５質量％以下であり、更に好ましくは２０質量％以下であり、より更に好ましくは１５質量％以下であり、より更に好ましくは１０質量％以下である。
【００７３】
本発明の繊維製品用洗浄剤組成物は、手洗い用として好適である。手洗いの方法としては、本発明の繊維製品用洗浄剤組成物と水とを混合してなる洗浄液を用いて、繊維製品を手でもみ洗いする方法、繊維製品同士を手で擦り合わせる方法、繊維製品を繊維束を植毛したブラシなどの道具を用いて擦り洗いする方法などが挙げられる。手洗いの場合、油汚れに対する洗浄力の向上の観点から、本発明の繊維製品用洗浄剤組成物は、水１Ｌに対して、好ましくは１ｇ以上、より好ましくは２ｇ以上、更に好ましくは３ｇ以上、そして、好ましくは３０ｇ以下、より好ましくは２０ｇ以下、更に好ましくは１０ｇ以下の濃度で用いられる。
【００７４】
＜洗浄に使用する水＞
本発明繊維製品用洗浄剤組成物は、水による繊維製品の洗浄、好ましくは、ドイツ硬度が０°ｄＨ以上１２°ｄＨ未満の水での繊維製品の洗浄に用いられる。すなわち、本発明繊維製品用洗浄剤組成物は、好ましくはドイツ硬度が０°ｄＨ以上１２°ｄＨ未満の水と混合した洗浄液として繊維製品の洗浄に用いられる。
本発明者は、硬度成分として知られているカルシウムやマグネシウムを、前記の膨潤性無機化合物が洗浄液中で化合物内に取り込むことで、体積膨潤率が低下し、繊維製品同士又は繊維製品と他の接触体との潤滑性を低下させることを見出した。（ａ）成分である特定の体積膨潤率を有する膨潤性無機化合物の膨潤を阻害しにくい点から、洗浄に使用する水のドイツ硬度は、好ましくは１２°ｄＨ未満であり、より好ましくは１１°ｄＨ以下であり、更に好ましくは１０°ｄＨ以下であり、そして、好ましくは０°ｄＨ以上である。当該水の硬度は、０°ｄＨであっても良い。洗浄に使用する水のドイツ硬度が上記の範囲において、本発明の効果が享受できる。なお、洗浄に使用する水は、洗浄液の調製に用いる水、すすぎに用いる水、又はその両方であってよい。
【００７５】
本明細書におけるドイツ硬度（°ｄＨ）とは、水中におけるカルシウム及びマグネシウムの濃度を、ＣａＣＯ３換算濃度で１ｍｇ／Ｌ（ｐｐｍ）＝約０．０５６°ｄＨ（１°ｄＨ＝１７．８ｐｐｍ）で表したものを指す。洗浄に使用される水のドイツ硬度の調整は、例えば、本明細書の実施例に記載の方法のように、硬度成分の種類や添加量から計算される値に基づいて行うことができる。また、洗浄に使用される水として、水道水等の硬度が不明の水を用いる場合には、水のドイツ硬度は、下記に記載のエチレンジアミン四酢酸二ナトリウム塩を使用したキレート滴定法で求められる。
【００７６】
本明細書における水のドイツ硬度の具体的な測定方法を下記に示す。
＜水のドイツ硬度の測定方法＞
〔試薬〕
・０．０１ｍｏｌ／ｌ  ＥＤＴＡ・２Ｎａ溶液：エチレンジアミン四酢酸二ナトリウムの０．０１ｍｏｌ／ｌ水溶液（滴定用溶液、0.01 M EDTA-Na2、シグマアルドリッチ（SIGMA-ALDRICH）社製）
・Ｕｎｉｖｅｒｓａｌ  ＢＴ指示薬（製品名：Ｕｎｉｖｅｒｓａｌ  ＢＴ、（株）同仁化学研究所製）
・硬度測定用アンモニア緩衝液（塩化アンモニウム６７．５ｇを２８ｗ／ｖ％アンモニア水５７０ｍｌに溶解し、イオン交換水で全量を１０００ｍｌとした溶液）
〔ドイツ硬度の測定〕
（１）試料となる水２０ｍｌをホールピペットでコニカルビーカーに採取する。
（２）硬度測定用アンモニア緩衝液２ｍｌ添加する。
（３）Ｕｎｉｖｅｒｓａｌ  ＢＴ指示薬を０．５ｍｌ添加する。添加後の溶液が赤紫色であることを確認する。
（４）コニカルビーカーをよく振り混ぜながら、ビュレットから０．０１ｍｏｌ／ｌ  ＥＤＴＡ・２Ｎａ溶液を滴下し、試料となる水が青色に変色した時点を滴定の終点とする。
（５）全硬度は下記の算出式で求める。
硬度（°ｄＨ）＝Ｔ×０．０１×Ｆ×５６．０７７４×１００／Ａ
Ｔ：０．０１ｍｏｌ／ｌ  ＥＤＴＡ・２Ｎａ溶液の滴定量（ｍＬ）
Ａ：サンプル容量（２０ｍＬ、試料となる水の容量）
Ｆ：０．０１ｍｏｌ／ｌ  ＥＤＴＡ・２Ｎａ溶液のファクター
【００７７】
本発明の繊維製品用洗浄剤組成物は、目的に応じて洗濯機でも使用できる。洗濯機での洗濯の場合、本発明の繊維製品用洗浄剤組成物は、水１Ｌに対して、好ましくは０．６ｇ以上、より好ましくは１ｇ以上、更に好ましくは１．５ｇ以上であり、そして、好ましくは１０ｇ以下、より好ましくは７ｇ以下、更に好ましくは３ｇ以下の濃度で用いられる。
【００７８】
本発明の繊維製品用洗浄剤組成物の形態は、粉末、液体、ペースト、スラリーの何れであっても良い。粉末は好ましい形態の１つである。本発明の繊維製品用洗浄剤組成物を粉末として製造する方法は、特に限られるものではないが、例えば押し出し造粒法、圧縮造粒法、溶融造粒法、噴霧乾燥造粒法、流動層造粒法、破砕造粒法、撹拌造粒法、液晶造粒法、真空凍結乾燥造粒法、ドライ中和造粒法などが挙げられ、これらの製造方法を単一又は組み合わせて使用しても良い。
【００７９】
本発明は、（ａ）成分、（ｂ）成分及び（ｃ）成分を含有する繊維製品用洗浄剤組成物の製造方法であって、（ａ）成分１００質量部に対して０．０１質量部以上５質量部以下の割合で（ｂ）成分を（ａ）成分に担持させた後、（ｂ）成分を担持する該（ａ）成分を（ｃ）成分と混合する、繊維製品用洗浄剤組成物の製造方法を提供する。本発明の製造方法として、例えば、膨潤性無機化合物から前記式（１）の体積膨潤率が２００％以上の化合物を選定して（ａ）成分とし、この（ａ）成分に対して前記式（２）の体積膨潤率の向上率が１１０％以上である化合物を選定して（ｂ）成分とし、（ａ）成分１００質量部に対して０．０１質量部以上５質量部以下の割合で（ｂ）成分を（ａ）成分に担持させた後、（ｂ）成分を担持する該（ａ）成分を（ｃ）成分と混合する、繊維製品用洗浄剤組成物の製造方法が挙げられる。本発明の製造方法は、（ｂ）成分を担持する（ａ）成分からなり（ｂ）成分の担持量が（ａ）成分１００質量部に対して０．０１質量部以上５質量部以下である繊維製品用湿潤潤滑剤と、（ｃ）成分とを混合する、繊維製品用洗浄剤組成物の製造方法であってよい。本発明の製造方法により本発明の繊維製品用洗浄剤組成物が得られる。本発明の製造方法には、本発明の繊維製品用洗浄剤組成物で述べた事項を適宜適用することができる。また、本発明の繊維製品用洗浄剤組成物で示した含有量は混合量として本発明の製造方法に適用することができる。式（２）は、ある体積膨潤率を有する膨潤性無機化合物〔（ａ）成分〕に対して、ある化合物〔（ｂ）成分〕が、その体積膨潤率を向上させる程度を示すものである。本発明の製造方法では、Ｌ３は、ラウリルベンゼンスルホン酸ナトリウムを１０００ｍｇ／ｋｇ及び（ａ）成分に担持させる化合物を４０ｍｇ／ｋｇ含む水溶液（２５℃）５０ｍＬに、前記化合物を担持させる（ａ）成分を０．５ｇ添加後、２４時間後の前記（ａ）成分の体積、とすることができる。また、Ｌ４は、ラウリルベンゼンスルホン酸ナトリウムを１０００ｍｇ／ｋｇ含む水溶液（２５℃）５０ｍＬに、Ｌ３の測定に用いたものと同じ（ａ）成分を０．５ｇ添加後、２４時間後の（ａ）成分の体積、とすることができる。
【００８０】
本発明の繊維製品用洗浄剤組成物は、衣類、タオル、寝具、寝具用の繊維製品（シーツ、枕カバーなど）などの繊維製品の洗浄に用いられる。これら以外の洗濯が可能な繊維製品も対象とすることができる。
【００８１】
本発明は、以下の繊維製品用洗浄剤組成物、繊維製品用湿潤潤滑剤及び繊維製品の洗浄方法を開示する。以下の態様には、本発明の繊維製品用洗浄剤組成物、繊維製品用湿潤潤滑剤及び繊維製品の洗浄方法で述べた事項を適宜適用することができる。
【００８２】
＜１＞
下記（ａ）成分、下記（ｂ）成分及び下記（ｃ）成分を含有し、
（ｂ）成分が（ａ）成分に担持されており、
（ｂ）成分の担持量が（ａ）成分１００質量部に対して０．０１質量部以上５質量部以下である、
繊維製品用洗浄剤組成物。
（ａ）成分：下記式（１）で求められる体積膨潤率が２００％以上である膨潤性無機化合物
式（１）    体積膨潤率（％）＝（Ｌ１／Ｌ２）×１００
Ｌ１：ラウリルベンゼンスルホン酸ナトリウムを１０００ｍｇ／ｋｇ含む水溶液（２５℃）５０ｍＬに、（ａ）成分を０．５ｇ添加後、２４時間後の（ａ）成分の体積
Ｌ２：（ａ）成分０．５ｇの空気中での見掛けの体積
（ｂ）成分：下記式（２）で求められる体積膨潤率の向上率が１１０％以上である化合物
式（２）    体積膨潤率の向上率（％）＝（Ｌ３／Ｌ４）×１００
Ｌ３：ラウリルベンゼンスルホン酸ナトリウムを１０００ｍｇ／ｋｇ及び（ａ）成分に担持された（ｂ）成分と同じ化合物を４０ｍｇ／ｋｇ含む水溶液（２５℃）５０ｍＬに、（ｂ）成分が担持された（ａ）成分と同じ膨潤性無機化合物を０．５ｇ添加後、２４時間後の前記膨潤性無機化合物の体積
Ｌ４：ラウリルベンゼンスルホン酸ナトリウムを１０００ｍｇ／ｋｇ含む水溶液（２５℃）５０ｍＬに、Ｌ３の測定に用いたものと同じ膨潤性無機化合物を０．５ｇ添加後、２４時間後の前記膨潤性無機化合物の体積
（ｃ）成分：界面活性剤
【００８３】
＜２＞
更に（ｄ）成分として、炭素数１以上８以下の有機硫酸塩、無機硫酸塩、炭酸塩、炭酸水素塩、ケイ酸塩、リン酸塩及びハロゲン塩から選ばれる１種以上の化合物（但し、（ａ）成分、（ａ）成分に担持された（ｂ）成分及び（ｃ）成分を除く）を含有する、＜１＞に記載の繊維製品用洗浄剤組成物。
【００８４】
＜３＞
（ｄ）成分が、無機硫酸塩、炭酸塩、炭酸水素塩、ケイ酸塩、及びハロゲン塩から選ばれる１種以上の化合物である、＜２＞に記載の繊維製品用洗浄剤組成物。
【００８５】
＜４＞
（ｄ）成分が、硫酸ナトリウム、硫酸水素ナトリウム、硫酸リチウム、硫酸水素リチウム、硫酸マグネシウム、硫酸水素マグネシウム、炭酸ナトリウム、炭酸リチウム、炭酸マグネシウム、炭酸水素ナトリウム、炭酸水素リチウム、炭酸水素マグネシウム、ケイ酸ナトリウム、塩化ナトリウム、塩化リチウム、及び塩化マグネシウムから選ばれる１種以上の化合物である、＜２＞又は＜３＞に記載の繊維製品用洗浄剤組成物。
【００８６】
＜５＞
（ｄ）成分として、無機硫酸塩、炭酸塩、炭酸水素塩、及びケイ酸塩から選ばれる１種以上の化合物を含有する、＜２＞〜＜４＞の何れかに記載の繊維製品用洗浄剤組成物。
【００８７】
＜６＞
（ｄ）成分として、硫酸ナトリウム、硫酸マグネシウム、炭酸ナトリウム、炭酸水素ナトリウム、及びケイ酸ナトリウムから選ばれる１種以上の化合物を含有する、＜２＞〜＜５＞の何れかに記載の繊維製品用洗浄剤組成物。
【００８８】
＜７＞
（ｄ）成分を、１質量％以上、好ましくは５質量％以上、より好ましくは１０質量％以上、更に好ましくは２０質量％以上、より更に好ましくは２５質量％以上、より更に好ましくは３０質量％以上、より更に好ましくは３５質量％以上、より更に好ましくは４０質量％以上、そして、８０質量％以下、好ましくは７０質量％以下、より好ましくは６５質量％以下含有する、＜２＞〜＜６＞の何れかに記載の繊維製品用洗浄剤組成物。
【００８９】
＜８＞
（ｄ）成分中の炭酸塩、炭酸水素塩及びケイ酸塩から選ばれる１種以上の無機塩の含有割合が５０質量％以下である、＜２＞〜＜７＞の何れかに記載の繊維製品用洗浄剤組成物。
【００９０】
＜９＞
前記炭酸塩が、炭酸ナトリウム及び炭酸リチウムであり、前記炭酸水素塩が、炭酸水素ナトリウム及び炭酸水素リチウムであり、前記ケイ酸塩は、ケイ酸ナトリウム及びケイ酸リチウムである、＜８＞に記載の繊維製品用洗浄剤組成物。
【００９１】
＜１０＞
更に、（ｅ）成分として、ゼオライト及びトリポリリン酸塩から選ばれる１種以上の金属イオン捕捉剤を含有する、＜１＞〜＜９＞の何れかに記載の繊維製品用洗浄剤組成物。
【００９２】
＜１１＞
（ｅ）成分の含有量と（ａ）成分の含有量との質量比である（ｅ）／（ａ）が、０．０５以上であり、好ましくは０．１以上であり、より好ましくは０．２以上であり、より更に好ましくは０．３以上であり、より更に好ましくは０．４以上であり、より更に好ましくは０．５以上であり、より更に好ましくは０．６以上であり、より更に好ましくは０．７以上であり、そして、３０以下であり、好ましくは２０以下であり、より好ましくは１０以下であり、より更に好ましくは５以下であり、より更に好ましくは３以下であり、より更に好ましくは２以下であり、より更に好ましくは１．５以下である、＜１０＞に記載の繊維製品用洗浄剤組成物。
【００９３】
＜１２＞
（ａ）成分が、膨潤性の層状無機化合物である、＜１＞〜＜１１＞の何れかに記載の繊維製品用洗浄剤組成物。
【００９４】
＜１３＞
（ａ）成分の膨潤性無機化合物の体積膨潤率が、２５０％以上である、好ましくは３００％以上であり、より好ましくは３５０％以上であり、更に好ましくは４００％以上であり、より更に好ましくは４５０％以上であり、より更に好ましくは５００％以上であり、より更に好ましくは９００％以上であり、より更に好ましくは９５０％以上であり、そして、１５００％以下である、＜１＞〜＜１２＞の何れかに記載の繊維製品用洗浄剤組成物。
【００９５】
＜１４＞
（ａ）成分が、膨潤性の粘土鉱物である、＜１＞〜＜１３＞の何れかに記載の繊維製品用洗浄剤組成物。
【００９６】
＜１５＞
（ａ）成分が、膨潤性のスメクタイト及び膨潤性のベントナイトから選ばれる１種以上の膨潤性の粘土鉱物である、＜１＞〜＜１４＞の何れかに記載の繊維製品用洗浄剤組成物。
【００９７】
＜１６＞
（ａ）成分を、３質量％以上、好ましくは４質量％以上、より好ましくは５質量％以上、更に好ましくは６質量％以上、より更に好ましくは７質量％以上、より更に好ましくは８質量％以上、より更に好ましくは９質量％以上、より更に好ましくは１０質量％以上、そして、３０質量％以下、好ましくは２５質量％以下、より好ましくは２０質量％以下含有する、＜１＞〜＜１５＞の何れかに記載の繊維製品用洗浄剤組成物。
【００９８】
＜１７＞
（ｂ）成分が、下記（ｂ１）成分〜（ｂ３）成分から選ばれる１種以上の化合物である、＜１＞〜＜１６＞の何れかに記載の繊維製品用洗浄剤組成物。
（ｂ１）成分：炭素数２以上３以下のオキシアルキレン基、水酸基及び炭素数８以上１６以下の炭化水素基を有するノニオン界面活性剤
（ｂ２）成分：炭素数２以上８以下の１価アルコール及び炭素数２以上１０以下の２価以上６価以下の多価アルコールから選ばれる１種以上の化合物
（ｂ３）成分：炭素数４以上１２以下の脂肪酸又はその塩
【００９９】
＜１８＞
（ｂ１）成分の炭素数２以上３以下のオキシアルキレン基が、オキシエチレン基及びオキシプロピレン基から選ばれる１種以上の基である、＜１７＞に記載の繊維製品用洗浄剤組成物。
【０１００】
＜１９＞
（ｂ１）成分が、炭素数２以上３以下のオキシアルキレン基の平均付加モル数が、１以上、好ましくは１．５以上、そして、５以下、好ましくは４以下、より好ましくは３以下である、＜１７＞又は＜１８＞に記載の繊維製品用洗浄剤組成物。
【０１０１】
＜２０＞
（ｂ１）成分が、炭素数２以上３以下のオキシアルキレン基、水酸基及び炭素数８以上１６以下の炭化水素基を有し、前記オキシアルキレン基の平均付加モル数が１以上５以下であり、体積膨潤率の向上率が１１０％以上であるノニオン界面活性剤である、＜１７＞〜＜１９＞の何れかに記載の繊維製品用洗浄剤組成物。
【０１０２】
＜２１＞
（ｂ２）成分の、炭素数２以上８以下の１価アルコールの炭素数が３以上であり、好ましくは４以上であり、そして、好ましくは７以下である、＜１７＞〜＜２０＞の何れかに記載の繊維製品用洗浄剤組成物。
【０１０３】
＜２２＞
（ｂ２）成分の炭素数２以上８以下の１価アルコールの炭素数が、エタノール、１−プロパノール、２−プロパノール、ブタノール、ペンタノール、ヘキサノール、シクロヘキサノール、ヘプタノール、ヘキサノール、オクタノール及び２−エチルヘキサノールから選ばれる１種以上のアルコールであり、炭素数２以上１０以下の２価以上６価以下の多価アルコールが、エチレングリコール、プロピレングリコール、グリセリン、ペンタエリスリトール及びソルビトールから選ばれる１種以上の化合物である、＜１７＞〜＜２１＞の何れかに記載の繊維製品用洗浄剤組成物。
【０１０４】
＜２３＞
（ｂ３）成分である、脂肪酸の炭素数が４以上であり、好ましくは６以上、そして、１２以下であり、好ましくは１０以下である、＜１７＞〜＜２２＞の何れかに記載の繊維製品用洗浄剤組成物。
【０１０５】
＜２４＞
（ｂ３）成分である、脂肪酸の塩が、アルカリ金属塩、アルカリ土類金属塩又は炭素数１以上６以下のアルカノールアミン塩である、好ましくはアルカリ金属塩がナトリウム塩であり、好ましくはアルカリ土類金属塩がマグネシウム塩であり、好ましくは炭素数１以上６以下のアルカノールアミン塩がモノエタノールアミン塩、ジエタノールアミン塩、トリエタノールアミン塩、Ｎ−メチルモノエタノールアミン塩、Ｎ−メチルジエタノールアミン塩、又はトリエタノールアミン塩である、＜１７＞〜＜２３＞の何れかに記載の繊維製品用洗浄剤組成物。
【０１０６】
＜２５＞
（ｂ）成分の体積膨潤率の向上率が、１１５％以上であり、好ましくは１２０％以上であり、より好ましくは１２６％以上であり、更に好ましくは１３０％以上であり、より更に好ましくは１３５％以上であり、そして、２００％以下であり、好ましくは１９０％以下であり、より好ましくは１８０％以下であり、更に好ましくは１７０％以下であり、より更に好ましくは１６０％以下である、＜１＞〜＜２４＞の何れかに記載の繊維製品用洗浄剤組成物。
【０１０７】
＜２６＞
（ｂ）成分の平均分子量が４０以上４００以下である、＜１＞〜＜２５＞の何れかに記載の繊維製品用洗浄剤組成物。
【０１０８】
＜２７＞
（ａ）成分１００質量部に対する（ｂ）成分の担持量が、０．０３質量部以上であり、好ましくは０．０５質量部以上であり、より好ましくは０．０７質量部以上であり、更に好ましくは０．１質量部以上であり、より更に好ましくは０．１５質量部以上であり、そして、４質量部以下であり、好ましくは３質量部以下であり、より好ましくは２質量部以下であり、更に好ましくは１質量部以下であり、より更に好ましくは０．６質量部以下であり、より更に好ましくは０．５質量部以下であり、より更に好ましくは０．４質量部以下である、＜１＞〜＜２６＞の何れかに記載の繊維製品用洗浄剤組成物。
【０１０９】
＜２８＞
〔（ｂ）成分の含有量〕／〔（ｃ）成分の含有量〕の質量比が、０．０００１以上であり、好ましくは０．０００１５以上であり、より好ましくは０．０００２以上であり、更に好ましくは０．０００３以上であり、より更に好ましくは０．０００４以上であり、より更に好ましくは０．０００６以上であり、そして、０．００９以下であり、好ましくは０．００８以下であり、より好ましくは０．００７以下であり、更に好ましくは０．００６以下であり、より更に好ましくは０．００５以下であり、より更に好ましくは０．００４以下であり、より更に好ましくは０．００３以下であり、より更に好ましくは０．００２以下である、＜１＞〜＜２７＞の何れかに記載の繊維製品用洗浄剤組成物。
【０１１０】
＜２９＞
繊維製品用洗浄剤組成物が含有する（ｂ）成分の全量中、６０質量％以上、更に７０質量％以上、更に８０質量％以上、更に１００質量％が、（ａ）成分に担持されている、＜１＞〜＜２８＞の何れかに記載の繊維製品用洗浄剤組成物。
【０１１１】
＜３０＞
（ａ）成分に担持されている物質中、６０質量％以上、更に８０質量％以上、更に９０質量％以上、更に１００質量％が、（ｂ）成分である、＜１＞〜＜２９＞の何れかに記載の繊維製品用洗浄剤組成物。
【０１１２】
＜３１＞
（ｃ）成分が、アニオン界面活性剤、ノニオン界面活性剤、カチオン界面活性剤及び両性界面活性剤から選ばれる１種以上の界面活性剤である、更にアニオン界面活性剤から選ばれる１種以上の界面活性剤である、＜１＞〜＜３０＞の何れかに記載の繊維製品用洗浄剤組成物。
【０１１３】
＜３２＞
（ｃ）成分であるアニオン界面活性剤が、下記（ｃ１）成分、（ｃ２）成分、及び（ｃ３）成分から選ばれる１種以上のアニオン界面活性剤である、＜３１＞に記載の繊維製品用洗浄剤組成物。
（ｃ１）成分：アルキル基の炭素数が１０以上１８以下のアルキル又はアルケニル硫酸エステル塩
（ｃ２）成分：アルキル基の炭素数が１０以上１８以下、及びオキシアルキレン基の平均付加モル数が１以上３以下の、炭素数２以上３以下のオキシアルキレン基を有するポリオキシアルキレンアルキル又はアルケニルエーテル硫酸エステル塩
（ｃ３）成分：アルキル基の炭素数が１０以上１８以下のアルキルベンゼンスルホン酸塩、アルケニル基の炭素数が１０以上１８以下のアルケニルベンゼンスルホン酸塩、アルキル基の炭素数が１０以上１８以下のアルカンスルホン酸塩、α−オレフィン部分の炭素数が１０以上１８以下のα−オレフィンスルホン酸塩、脂肪酸部分の炭素数が１０以上１８以下のα−スルホ脂肪酸塩及び脂肪酸部分の炭素数が１０以上１８以下であり、エステル部分の炭素数が１以上５以下であるα−スルホ脂肪酸低級アルキルエステル塩から選ばれる１種以上のアニオン界面活性剤
【０１１４】
＜３３＞
（ｃ）成分であるノニオン界面活性剤が、下記一般式（１）の化合物であるノニオン界面活性剤である、＜３１＞又は＜３２＞に記載の繊維製品用洗浄剤組成物。
Ｒ１−Ｏ［（ＥＯ）ａ／（ＰＯ）ｂ］−Ｈ                （１）
〔式中、Ｒ１は炭素数１０以上、好ましくは１２以上、そして、１８以下、好ましくは１６以下、より好ましくは１４以下のアルキル基又はアルケニル基を示す。ＥＯはエチレンオキシ基、ＰＯはプロピレンオキシ基である。ａはＥＯ基の数平均付加モル数であり、ｂはＰＯ基の数平均付加モル数である。ａとｂの合計の数は、好ましくは６以上１００以下の数である。ａは６以上１００以下の数が好ましく、ｂは０以上１０以下の数が好ましい。但し、ａ及びｂの両者が０の場合を除く。一般式（１）中、ＥＯとＰＯはランダム結合でもブロック結合でも、いずれでもよい。一般式（１）のノニオン界面活性剤は、ＥＯを含むことが好ましい。〕
【０１１５】
＜３４＞
（ｃ）成分を、５質量％以上、好ましくは６質量％以上、より好ましくは７質量％以上、更に好ましくは８質量％以上、より更に好ましくは９質量％以上、より更に好ましくは１０質量％以上、そして、６０質量％以下、好ましくは５０質量％以下、より好ましくは４０質量％以下含有する、＜１＞〜＜３３＞の何れかに記載の繊維製品用洗浄剤組成物。
【０１１６】
＜３５＞
下記（ａ）成分及び下記（ｂ）成分を含有し、
（ｂ）成分が（ａ）成分に担持されており、
（ｂ）成分の担持量が（ａ）成分１００質量部に対して０．０１質量部以上５質量部以下である、
繊維製品用湿潤潤滑剤。
（ａ）成分：下記式（１）で求められる体積膨潤率が２００％以上である膨潤性無機化合物
式（１）    体積膨潤率（％）＝（Ｌ１／Ｌ２）×１００
Ｌ１：ラウリルベンゼンスルホン酸ナトリウムを１０００ｍｇ／ｋｇ含む水溶液（２５℃）５０ｍＬに、（ａ）成分を０．５ｇ添加後、２４時間後の（ａ）成分の体積
Ｌ２：（ａ）成分０．５ｇの空気中での見掛けの体積
（ｂ）成分：下記式（２）で求められる体積膨潤率の向上率が１１０％以上である化合物
式（２）    体積膨潤率の向上率（％）＝（Ｌ３／Ｌ４）×１００
Ｌ３：ラウリルベンゼンスルホン酸ナトリウムを１０００ｍｇ／ｋｇ及び（ａ）成分に担持された（ｂ）成分と同じ化合物を４０ｍｇ／ｋｇ含む水溶液（２５℃）５０ｍＬに、（ｂ）成分が担持された（ａ）成分と同じ膨潤性無機化合物を０．５ｇ添加後、２４時間後の前記膨潤性無機化合物の体積
Ｌ４：ラウリルベンゼンスルホン酸ナトリウムを１０００ｍｇ／ｋｇ含む水溶液（２５℃）５０ｍＬに、Ｌ３の測定に用いたものと同じ膨潤性無機化合物を０．５ｇ添加後、２４時間後の前記膨潤性無機化合物の体積
【０１１７】
＜３６＞
（ａ）成分が、膨潤性の層状無機化合物である、＜３５＞に記載の繊維製品用湿潤潤滑剤。
【０１１８】
＜３７＞
（ｂ）成分の平均分子量が４０以上４００以下である、＜３５＞又は＜３６＞に記載の繊維製品用洗浄剤組成物。
【０１１９】
＜３８＞
（ｂ）成分が、下記（ｂ１）成分〜（ｂ３）成分から選ばれる１種以上の化合物である、＜３５＞〜＜３７＞のいずれかに記載の繊維製品用湿潤潤滑剤。
（ｂ１）成分：炭素数２以上３以下のオキシアルキレン基、水酸基及び炭素数８以上１６以下の炭化水素基を有するノニオン界面活性剤
（ｂ２）成分：炭素数２以上８以下の１価アルコール及び炭素数２以上１０以下の２価以上６価以下の多価アルコールから選ばれる１種以上の化合物
（ｂ３）成分：炭素数４以上１２以下の脂肪酸又はその塩
【０１２０】
＜３９＞
＜１＞〜＜３４＞の何れかに記載の繊維製品用洗浄剤組成物と水とを混合してなる洗浄液で繊維製品を洗浄する、繊維製品の洗浄方法。
【０１２１】
＜４０＞
洗浄液を含んだ繊維製品を手洗いする、＜３９＞に記載の繊維製品の洗浄方法。
【実施例】
【０１２２】
下記の配合成分を用いて、表１、２に示す繊維製品用洗浄剤組成物を調製した。
〔配合成分〕
＜（ａ）成分＞
（ａ−１）：ベントナイト（ＡＭＣＯＬ製、体積膨潤率２５０％）
（ａ−２）：ベントナイト（黒崎白土工業株式会社製、体積膨潤率８５０％）
（ａ−３）：ヘクトライト（合成ヘクトライト、親水性、和光純薬工業（株）製、体積膨潤率５００％）
（ａ−４）：膨潤性雲母（ソマシフME-100、コープケミカル株式会社、体積膨潤率、体積膨潤率４２０％）
【０１２３】
＜（ｂ）成分＞
（ｂ−１）：ポリオキシエチレンラウリルエーテル（エチレンオキサイド平均付加モル数：２モル、前記（ａ−１）の体積膨潤率の向上率１４０％、前記（ａ−２）の体積膨潤率の向上率１４０％）
（ｂ−２）：ポリオキシエチレンラウリルエーテル（エチレンオキサイド平均付加モル数：３モル、前記（ａ−１）の体積膨潤率の向上率１１０％、前記（ａ−２）の体積膨潤率の向上率１３０％）
（ｂ−３）：エチレングリコール（丸善石油化学株式会社製、前記（ａ−２）の体積膨潤率の向上率１４０％）
（ｂ−４）：カプリン酸（前記（ａ−２）の体積膨潤率の向上率１４０％）
【０１２４】
＜（ｂ’）成分＞
（ｂ’−１）：ポリオキシエチレンラウリルエーテル（エチレンオキサイド平均付加モル数：５モル、前記（ａ−１）の体積膨潤率の向上率１００％）
（ｂ’−２）：ポリオキシエチレンラウリルエーテル（エチレンオキサイド平均付加モル数：６モル、前記（ａ−１）の体積膨潤率の向上率１００％）
（ｂ’−３）：ポリオキシエチレンラウリルエーテル（エチレンオキサイド平均付加モル数：１６モル、前記（ａ−１）の体積膨潤率の向上率９０％）
【０１２５】
＜（ｃ）成分＞
（ｃ−１）：ラウリルベンゼンスルホン酸ナトリウム（ネオペレックスＧ−１５（花王（株）製）
（ｃ−２）：ラウリル硫酸ナトリウム（エマール１０Ｇ（花王（株）製））
（ｃ−３）：ラウリン酸ナトリウム
【０１２６】
＜（ｄ）成分＞
（ｄ−１）：硫酸ナトリウム（和光純薬工業（株）製）
（ｄ−２）：炭酸ナトリウム（和光純薬工業（株）製）
（ｄ−３）：炭酸水素ナトリウム（和光純薬工業（株）製）
（ｄ−４）：硫酸マグネシウム（無水）、和光純薬工業（株）
（ｄ−５）：ケイ酸ナトリウム（富士化学（株）製「２号シリケート」、純分４０％、表中の数字は純分の値。）
【０１２７】
＜（ｅ）成分＞
（ｅ−１）：ゼオライト、ＺＥＯＢＵＩＬＤＥＲ ＣＯ．，ＬＴＤ
【０１２８】
＜（ｆ）成分（その他の成分）＞
（ｆ−１）：ポリアクリル酸ナトリウム（重量平均分子量６０００）
（ｆ−２）：ポリエチレングリコール（重量平均分子量１３０００、ＳＩＮＯ−Ｊａｐａｎ製）
（ｆ−３）：アルカリプロテアーゼ（タンパク質含有量が１００ｍｇ／酵素造粒物１ｇの造粒物）
【０１２９】
＜水分＞
表中の質量％は、前記の（ａ）成分〜（ｆ）成分が水を含む場合、それらからのキャリーオーバーの水を含む繊維製品用洗浄剤組成物中の水の含有量である。必要に応じてイオン交換水を添加して表中の水分量となるように調整した。
【０１３０】
〔（ａ）成分の体積膨潤率の測定方法〕
５０ｍＬ容量の共栓付比色管（ＩＷＡＫＩ  ＣＯＬＯＲ−ＴＵＢＥ５０Ｓ）に、１０００ｍｇ／ｋｇの濃度のラウリルベンゼンスルホン酸ナトリウム水溶液５０ｍＬを投入した。ラウリルベンゼンスルホン酸ナトリウム水溶液の温度は２５℃であった。次に、（ａ）成分０．５ｇを１０回に分けて、ガラス管の壁面に付着しないようにガラス管内に投入した。２５℃±０．５℃の温度範囲で２４時間静置後の堆積物の高さ（Ｌ１ｈ、ｍｍ）を測定した。また、別途前記の５０ｍＬ容量の耐熱ガラス管に（ａ）成分のみ０．５ｇを１０回に分けて、ガラス管の壁面に付着しないようにガラス管内に投入した。２５℃±０．５℃の温度範囲で２４時間静置後の堆積物の高さ（Ｌ２ｈ、ｍｍ）を測定した。ガラス管内の内側の底面の面積が一定であることから、体積膨潤率は高さの数値から算出できる。すなわち、下記式（１’）で算出した値は、前記式（１）の体積膨潤率（％）と一致する。
式（１’）    体積膨潤率（％）＝（Ｌ１ｈ／Ｌ２ｈ）×１００
なお、ラウリルベンゼンスルホン酸ナトリウムは、ネオペレックスＧ−１５（花王（株）製）を使用した。また、水はイオン交換水を使用した。
【０１３１】
〔体積膨潤率の向上率の算出方法〕
５０ｍＬ容量の共栓付比色管（ＩＷＡＫＩ  ＣＯＬＯＲ−ＴＵＢＥ５０Ｓ）にラウリルベンゼンスルホン酸ナトリウム（ネオペレックスＧ−１５（花王（株）製）１０００ｍｇ／ｋｇ及び（ｂ）成分又は（ｂ’）成分４０ｍｇ／ｋｇの濃度で含む水溶液（水はイオン交換水を使用）５０ｍＬ（２５℃）を投入した。次に、当該（ｂ）成分又は（ｂ’）成分を用いた組成物で用いた（ａ）成分０．５ｇをガラス管の内壁に付着しないように１０回に分けて添加し、２５℃±０．５℃の温度範囲で２４時間静置した後の堆積物の高さ（Ｌ３ｈ、ｍｍ）を測定した。また、前記と同じ耐熱ガラス管（ＩＷＡＫＩ  ＴＥ−３２  ＧＬＡＳＳ）にラウリルベンゼンスルホン酸ナトリウム（ネオペレックスＧ−１５（花王（株）製）１０００ｍｇ／ｋｇ水溶液（水はイオン交換水を使用）５０ｍＬ（２５℃）を投入した。次に（ｂ）成分又は（ｂ’）成分が担持された（ａ）成分と同じ膨潤性無機化合物０．５ｇをガラス管の内壁に付着しないように１０回に分けて添加し、２５℃±０．５℃の温度範囲で２４時間静置した後の堆積物の高さ（Ｌ４ｈ、ｍｍ）を測定した。ガラス管内の内側の底面の面積が一定であることから、体積膨潤率は高さの数値から算出できる。すなわち、下記式（２’）で算出した値は、前記式（２）の体積膨潤率の向上率（％）と一致する。
式（２’）    体積膨潤率の向上率（％）＝（Ｌ３ｈ／Ｌ４ｈ）×１００
【０１３２】
＜（ｂ）成分が担持された（ａ）成分（繊維製品用湿潤潤滑剤）の製造＞
（ａ）成分が充填されたドラムミキサー内に（ｂ）成分又は（ｂ’）成分を噴霧することで、（ａ）成分に（ｂ）成分又は（ｂ’）成分が担持された繊維製品用湿潤潤滑剤を得た。
【０１３３】
＜繊維製品用粉末洗浄剤組成物の製造法＞
実施例１〜７及び比較例１〜１３については、表１に示す割合に従って、また、配合例１〜８については、表２に示す割合に従って、（ｃ）成分、（ｄ−１）成分、（ｄ−５）成分、（ｆ−１）成分、（ｆ−２）成分を混合してスラリーを得た。次いで本スラリーを噴霧乾燥することでベース顆粒を得た。更に得られた顆粒に、表１に示す割合で、（ｅ−１）成分、（ｆ−３）成分、（ｄ−２）成分、（ｄ−３）成分、（ｄ−４）成分、及び前記の（ｂ）成分が担持された（ａ）成分を、コンクリートミキサー〔光洋機械産業（株）製〕で混合することで、実施例１〜７、比較例１〜１３及び配合例１〜８の繊維製品用洗浄剤組成物を得た。
比較例１４及び１５については、表１に示す割合に従って、（ｃ）成分、（ｄ−１）成分、（ｄ−５）成分、（ｆ−１）成分、（ｆ−２）成分を混合してスラリーを得た。次いで本スラリーを噴霧乾燥することでベース顆粒を得た。更に得られた顆粒に、表１に示す割合で、（ｅ−１）成分、（ｆ−３）成分、（ｄ−２）成分、（ｄ−３）成分、及び（ｄ−４）成分をコンクリートミキサーで混合し、（ｂ）成分を噴霧し、更に混合した後に、（ａ）成分を投入しコンクリートミキサー〔光洋機械産業（株）製〕で混合することで、比較例１４及び１５の繊維製品用洗浄剤組成物を得た。
【０１３４】
(評価に使用する水)
以下の評価において用いる水は、特に断りがない限り以下の硬度成分を配合した水を使用した。塩化カルシウム・２水和物（和光純薬工業株式会社）７８．５０ｇ及び塩化マグネシウム・６水和物（和光純薬工業株式会社）７３．５８ｇを１Ｌのイオン交換水で溶解させた濃厚原液を調製した。この濃厚原液は、カルシウム／マグネシウム＝６／４（モル比）であった。得られた濃厚原液をアルカリ度１００ｍｇ／Ｌ（ＣａＣＯ３換算）、ｐＨ７．５の希釈用水で希釈し、ドイツ硬度５°ｄＨに調整して使用した。前記希釈用水は、イオン交換水に炭酸水素ナトリウム（和光純薬工業株式会社）を添加してアルカリ度を調整し、塩酸（和光純薬工業株式会社）を添加してｐＨを調整して得た。
【０１３５】
（試験布）
Ｔ／Ｃブロード布（ポリエステル６５％、綿３５％、未染着布、染色試材（株）谷頭商店製）２．０ｋｇを、ノニオン界面活性剤（エマルゲン１０８、花王（株））２００ｍｇ／ｋｇ、炭酸ナトリウム（和光純薬工業（株））４００ｍｇ／ｋｇの濃度で５回繰り返し洗濯した（４０Ｌ、洗い６分、注水すすぎ２回、脱水３分、ＮＡ−Ｆ７０ＰＸ９、Ｐａｎａｓｏｎｉｃ（株）製）。洗濯後、二槽式洗濯機（株式会社東芝、銀河ＶＨ−３６０Ｓ１）で泡がなくなるまで注水すすぎを行った。脱水槽にて５分脱水後、自然乾燥を行い、試験布とした。
【０１３６】
（摩擦係数の測定方法）
動摩擦係数の測定により布−布間の摩擦係数の評価を実施した。動摩擦係数の測定には、摩擦測定機［型式；トライボマスターＴＬ２０１Ｔｓ（ＴＲＩＬＡＢ社製）］を用い、１．０ｃｍ×１．０ｃｍ端子に張り付けた布（Ｔ／Ｃブロード未染着布）と台座上の３．０ｃｍ×７．５ｃｍ布（Ｔ／Ｃブロード未染着布、４ｇ／Ｌの洗剤溶液を７５０質量％含水させた）を縦糸方向に下記条件で擦り合わせることで摩擦係数を測定した。前記洗剤溶液は、下記の方法で調製した。結果を表１に示す。なお、動摩擦係数は５往復における平均値を算出し評価を実施した。
＊擦り合わせの条件
測定荷重：５０ｇ
架台移動速度：０．５ｃｍ／秒の速度で５往復
架台移動距離：５ｃｍ
＊洗剤溶液の調製方法
繊維製品用粉末洗浄剤組成物４．０ｇを１Ｌビーカー中で８００ｇの水に溶解し８００ｒｐｍで１０分間撹拌した。その後、１０００ｇにメスアップし、さらに８００ｒｐｍで１０分間撹拌し洗剤溶液とした。なお、空気中の二酸化炭素によるｐＨ変化を抑制するために、撹拌中はビーカー上部をラップフィルムで密閉した。
【０１３７】
【表１】
2020063435.tif 000002
【０１３８】
＊１：（ｂ）成分を（ａ）成分に担持させずに組成物に配合した。
＊２：（ａ）成分１００質量部に対する（ｂ）成分の担持量
【０１３９】
【表２】
2020063435.tif 000003
【０１４０】
＊３：（ａ）成分１００質量部に対する（ｂ）成分の担持量